(57)【要約】      （修正有）【課題】生地の表面に付着した花粉、水滴、塵等を容易に落下させて清潔な摘み付衣服を提供する。【解決手段】着用者の手が届く範囲の生地１１であって、着用状態でゆとりのある位置に、生地１１から突出する摘み部３６が設けられている。摘み部３６は、伸縮性を有するゴム紐であり、ゴム紐を二つ折りして環状にし、一対の端部を生地１１の切り替え部分に挟んで縫い付けられている。摘み部３６は、前身頃１６，１８の腹部付近や、袖３２，３８の外側、ズボンの裾部から少し上の部分等に取り付けられている。【選択図】図１
0003117340.tif 000002
【実用新案登録請求の範囲】
【請求項１】
着用者の手が届く範囲の生地であって、着用状態でゆとりのある位置に、前記生地から突出する摘み部が設けられていることを特徴とする付き摘み付衣服。
【請求項２】
前記摘み部は、伸縮性を有するゴム紐であり、前記ゴム紐を二つ折りして環状にし、一対の端部を生地の切り替え部分に挟んで縫い付けられていることを特徴とする請求項１記載の摘み付衣服。
【請求項３】
前記摘み部は、袖中央部及び前身頃中央部に縫い付けられていることを特徴とする請求項１又は２記載の摘み付衣服。
【考案の詳細な説明】
【技術分野】
【０００１】
この考案は、上着やズボン等の屋外で着用する衣服に関する。
【背景技術】
【０００２】
従来、上着やズボン、スカート、その他、衣服の一番外側に着用する衣服は、ファッション性や運動機能を重視して製造されている。その他、屋外で活動する際に、防寒、防水、防塵等の目的で着用する衣服がある。このような衣服は、例えばレインコートやウインドブレーカ等があり、防水性や防風性を有する生地で作られている。そして、屋外に出るときに、室内で着用する衣服の上から重ねて着用する。また、特許文献１の調整具付き衣服のように、上着の袖やズボンの裾に、長さ調節機能が付いたものもあった。
【特許文献１】特開２００３−２２１７０７号公報
【考案の開示】
【考案が解決しようとする課題】
【０００３】
上記従来の上着や防寒具等の衣服は、屋外で活動している間に、花粉、水滴、塵等が表面に付着するものであった。そして、この埃や花粉を室内に入れないようにするには、屋内に入るときに生地をつまんで振ったり、手で払ったりして落とさなければならず、やりにくいものであった。特に花粉症の防止のため、屋外で衣服に付着した花粉を入口で落として室内に持ち込まないようにすることが、効果があるといわれているが、衣服の表面に付いた花粉を簡単に効率よく落とす手段はなかった。
【０００４】
この考案は、上記従来の技術の問題点に鑑みてなされたものであり、生地の表面に付着した花粉、水滴、塵等を容易に落下させて清潔な摘み付衣服を提供することを目的とする。
【課題を解決するための手段】
【０００５】
本考案は、着用者の手が届く範囲の生地であって、着用状態でゆとりのある位置に、前記生地から突出する摘み部が設けられている摘み付衣服である。
【０００６】
前記摘み部は、伸縮性を有するゴム紐であり、前記ゴム紐を二つ折りして環状にし、一対の端部を生地の切り替え部分に挟んで縫い付けられている。前記摘み部は、袖中央部及び前身頃中央部に縫い付けられているもので、例えば前身頃の腹部付近や、腕の外側、その他ズボンの裾から少し上の部分等に取り付けられている。前記摘み部は、生地の色と異なる色にしてもよい。
【考案の効果】
【０００７】
本考案の摘み付衣服は、生地の表面に付着した花粉、水滴、塵等を、簡単な操作で生地に振動を発生させ、容易に落とすことができる。これにより、屋外で付着した花粉、水滴、塵等を室内に持ち込むことが少なくなり清潔である。特に、花粉を室内に持ち込むことを防ぎ、花粉症の軽減に効果がある。
【考案を実施するための最良の形態】
【０００８】
以下、この考案の実施形態について図面に基づいて説明する。図１〜図４はこの考案の一実施形態を示すもので、この実施形態の衣服１０は、室内で着用する衣服の上に重ねて着用するものであり、通常の上着の他、防水性や防風性等を有するもの等、適宜の生地１１で作られている。衣服１０は、図1に示すように上半身に着用する上着１２と、図3に示すように下半身に着用するズボン１４が設けられている。
【０００９】
図1に示す上着１２は、身体の前側の右半分を覆う右前身頃１６と、左半分を覆う左前身頃１８が設けられ、右前身頃１６と左前身頃１８は身体の前側中心で合わせられてスライドファスナー２０が設けられている。右前身頃１６の腹部付近には、前中心１６ａと脇１６ｂを結ぶ直線で生地が切断されて縫い合わせられた前身頃切替線２２が形成されている。前身頃切替線２２は、脇１６ｂに近づくにつれて下がる傾斜が設けられている。前身頃切替線２２の途中には、前身頃摘み部２４が設けられている。
【００１０】
図２に示すように、前身頃摘み部２４は、ゴム紐を二つ折りして環状にしたものであり、ゴム紐の両端部を前身頃切替線２２の生地１１同士の間に挟んで糸２６で縫い合わせられて、固定されている。前身頃切替線２２の、身体上側の生地１１の端部は裏面側に上方へ折り返され、前身頃摘み部２４を挟んで下側の生地１１に重ねられて、糸２６による直線ミシン目２８で縫い止められている。直線ミシン目２８の、前身頃摘み部２４を押さえている部分には、直線ミシン目２８の上からジグザグミシン目３０で更に縫い止められて補強されている。前身頃摘み部２４の色は、生地１１と異なるものにすると、視認しやすい。
【００１１】
上着１２の左前身頃１８にも、右前身頃１６と対称形に前身頃切替線２２が前中心１８ａと脇１８ｂを結んで形成され、前身頃切替線２２の途中に前身頃摘み部２４が設けられている。前身頃摘み部２４は、直線ミシン目２８とジグザグミシン目３０で縫い止められている。
【００１２】
上着１２には、右前身頃１６に連続して右手首までを覆う右袖３２が設けられている。右袖３２の肘より少し上の部分には、腕の挿通方向に対して交差する袖切替線３４が設けられている。袖切替線３４は、腕を一周して設けられ、袖切替線３４の肩部分から少し下に移動した腕の外側位置に、袖摘み部３６が設けられている。袖摘み部３６は前身頃摘み部２４と同じ構造であり、ゴム紐を二つ折りして環状にし、ゴム紐の両端部を袖切替線３４の生地１１同士の間に挟んで糸２６で縫い合わせられて、固定されている。ここでも、袖摘み部３６は直線ミシン目２８とジグザグミシン目３０で縫い止められている。
【００１３】
上着１２には、左前身頃１８に連続して左手首までを覆う左袖３８が設けられている。左袖３８には、右袖３２と対称形に袖切替線３４が設けられ、袖切替線３４の腕の外側位置に、袖摘み部３６が設けられている。ここでも、袖摘み部３６は直線ミシン目２８とジグザグミシン目３０で縫い止められている。
【００１４】
上着１２には、襟部分からフード４０が設けられている。フード４０の首の前に位置する両端部は、右前身頃１６、左前身頃１８の前中心１６ａ，１８ａの延長線上に一致し、スライドファスナー２０が連続して設けられている。
【００１５】
また、図３に示すズボン１４は、下半身の前側の右半分を覆う右前ズボン４２と、左半分を覆う左前ズボン４４が設けられ、前側中心で縫い合わされている。右前ズボン４２の裾部４６には、外側の踝の少し前側の部分に、スライドファスナー４８が設けられている。右前ズボン４２の生地１１には、裾部４６に対して直角の方向に長い矩形に切り取られて取付け用切込み部５０が形成され、スライドファスナー４８が取付け用切込み部５０に設けられている。
【００１６】
図4に示すように、取付け用切込み部５０の内側には、取付け用切込み部５０の長手方向の両側縁部に沿って一対の覆い部材５２が、取付け用切込み部５０の中心線で合わさるように取り付けられ、取付け用切込み部５０を閉鎖している。覆い部材５２は、生地１１が所定形状にカットされ、二つ折りされて設けられている。覆い部材５２の裏側にはスライドファスナー４８が取り付けられ、スライドファスナー４８の裏側には裏当布５４がゆとりを有して設けられている。取付け用切込み部５０の上端部５０ａには、ズボン摘み部５６が設けられている。ズボン摘み部５６は、前身頃摘み部２４と同じ構造であり、ゴム紐を二つ折りして環状にし、ゴム紐の両端部を取付け用切込み部５０の上端部５０ａの裏側へ、覆い部材５２との間に挟んで糸２６で縫い合わせられて、固定されている。ここでも、ズボン摘み部５６は直線ミシン目２８とジグザグミシン目３０で縫い止められている。
【００１７】
ズボン１４の左前ズボン４４にも、右前ズボン４２と対称形にスライドファスナー４８、取付け用切込み部５０、覆い部材５２、裏当布５４が設けられ、取付け用切込み部５０の上端部５０ａに、ズボン摘み部５６が設けられている。ズボン摘み部５６は、直線ミシン目２８とジグザグミシン目３０で縫い止められている。
【００１８】
次に、衣服１０の使用方法について説明する。まず外出する際に、室内で着用する衣服の上に衣服１０を重ねて着用する。スライドファスナー２０を閉じ、必要に応じてフード４０を頭にかぶる。そして屋外の活動が終わって室内に入るとき、衣服１０の前身頃摘み部２４、袖摘み部３６、ズボン摘み部５６を手で保持し、振り動かして生地１１を振動させる。あるいは、前身頃摘み部２４、袖摘み部３６、ズボン摘み部５６を、引っ張って伸張させた状態で開放すると縮んで生地１１に当たり、生地１１の表面に付いた花粉、水滴、塵等が弾かれて落下する。
【００１９】
この考案の衣服１０によれば、着用者の手が届く範囲の生地１１であって、着用状態でゆとりのある位置に、生地１１から突出する摘み部２４，３６，５６が設けられているので、生地１１の表面に付着した花粉、水滴、塵等を、簡単な操作で生地１１に振動を発生させ、容易に落とすことができる。これにより、屋外で付着した花粉、水滴、塵等を室内に持ち込むことが少なくなり、清潔であり衛生的である。特に花粉を室内に持ち込むことを防ぎ、花粉症の軽減に効果がある。生地１１から付着物を除去する操作は、前身頃摘み部２４、袖摘み部３６、ズボン摘み部５６を手で保持して振り動かしたり、引っ張って伸張させた状態で開放して生地１１に当てたりするだけであり、弱い力で誰にでも簡単にでき、効率がよい。
【００２０】
なお、この考案の衣服は、上記実施形態に限定されるものではなく、各摘み部が設けられる数や取り付け場所は適宜変更可能であり、摘み部の構造も、保持しやすいものであれば変更可能である、摘み部は、弾性を有しないものでもよい。摘み部を取り付ける場所は、前身頃切替線等以外に、ポケットの縁部分や肩の縫い合わせ目等、自由に変更可能である。この考案の衣服は、上着とズボン以外に、長いレインコートや砂遊び用のスモック等、いろいろな種類の衣服に使用することができる。
【図面の簡単な説明】
【００２１】
【図１】この考案の一実施形態の衣服の上着の正面図である。
【図２】この実施形態の上着の前身頃摘み部の正面図（ａ）と、図（ａ）のＡ−Ａ線縦断面図（ｂ）である。
【図３】この実施形態の衣服のズボンの正面図である。
【図４】この実施形態のズボンのズボン摘み部の正面図（ａ）と、図（ａ）のＢ−Ｂ線縦断面図（ｂ）と、図（ａ）のＣ−Ｃ線横断面図（ｃ）である。
【符号の説明】
【００２２】
１０  衣服
１１  生地
１２  上着
１４  ズボン
１６  右前身頃
１８  左前身頃
２０  スライドファスナー
２４  前身頃摘み部
２６  糸
２８  直線ミシン目
３０  ジグザグミシン目
３２  右袖
３６  袖摘み部
３８  左袖
４６  裾部
【図１】
0003117340.tif 000003
【図２】
0003117340.tif 000004
【図３】
0003117340.tif 000005
【図４】
0003117340.tif 000006